(57)【要約】【課題】  遊技者が不安にかられることなくこれから遊技を行おうとする遊技機を選択することを可能とする。【解決手段】  遊技が開始されたことを検出する検出センサ５０と、遊技が開始されたのちに計時を開始するタイマ２２と、通常遊技状態から遊技者にとって有利な大当たり遊技への移行を制御する主制御部３２と、通常遊技状態から大当たり遊技状態への移行回数及び出玉Ｎのうち少なくともいずれか一方を記憶するＲＡＭ１８と、タイマ２２での計時された時間とＲＡＭ１８に記憶された情報とを関連付けて表示する表示装置８０ａとを備える。【選択図】  図１
2006141802.tif 000002
【特許請求の範囲】
【請求項１】
遊技が開始されたことを検出する遊技開始検出手段と、
前記遊技開始検出手段によって遊技の開始が検出されたのちの所定時から計時を開始する計時手段と、
所定の条件が成立したことに応じて通常の遊技状態から遊技者にとって有利な特別遊技状態への移行を制御すると共に前記各遊技状態における遊技を制御する遊技制御手段と、  前記遊技制御手段によって制御された遊技に関する情報を記憶する遊技情報記憶手段と、
前記計時手段によって計時された計時時間を示す情報と前記遊技情報記憶手段に記憶される遊技に関する情報とを関連付けて表示する表示装置と、を備えることを特徴とする遊技装置。
【請求項２】
日付を判断する日付判断手段と、遊技が終了されたことを検出する遊技終了検出手段とをさらに備え、
前記遊技情報記憶手段が、前記計時手段による計時が開始されてから前記遊技終了検出手段によって遊技の終了が検出されるまでの計時時間を示す情報及び前記遊技制御手段によって制御された遊技に関する情報を、前記日付判断手段によって判断される日付毎の情報として記憶することを特徴とする請求項１に記載の遊技装置。
【請求項３】
所定条件の成立に応じて遊技媒体を払い出す遊技媒体払出部と、前記遊技媒体払出部を制御する遊技媒体払出制御手段と、前記遊技制御手段によって通常遊技状態から特別遊技状態へ移行したのちに前記遊技媒体払出部から払い出された遊技媒体の量を示す情報を取得する遊技媒体払出量取得手段とをさらに備え、
前記遊技情報記憶手段に記憶される遊技に関する情報が、前記遊技媒体払出量取得手段によって取得された遊技媒体の量を示す情報を含むことを特徴とする請求項１又は２に記載の遊技装置。
【請求項４】
特別遊技状態における遊技の回数を計数する特別遊技回数計数手段をさらに備え、
前記遊技情報記憶手段に記憶される遊技に関する情報が、前記特別遊技回数計数手段によって計数された回数を含むことを特徴とする請求項１〜３のいずれか１項に記載の遊技装置。
【請求項５】
前記表示装置が、前記計時時間を示す情報と前記遊技情報記憶手段に記憶される遊技に関する情報とを同一画面上において同時に表示することを特徴とする請求項１〜４のいずれか１項に記載の遊技装置。
【請求項６】
前記計時時間を示す情報に対する前記遊技情報記憶手段に記憶される遊技に関する情報を算出する演算手段をさらに備え、
前記表示装置が、前記演算手段による演算結果を表示することを特徴とする請求項１〜４のいずれか１項に記載の遊技装置。
【請求項７】
複数の遊技機から各遊技機における遊技の開始を示す情報及び遊技に関する情報のそれぞれを受信可能な受信部と、
前記受信部で受信された情報がいずれの遊技機に関する情報であるかを識別可能な遊技機識別手段と、
前記受信部で受信された情報を前記遊技機識別手段によって識別された遊技機毎の情報として記憶可能な遊技情報記憶手段と、
前記受信部で遊技の開始を示す情報を受信したのちの所定時から計時を開始する計時手段と、
前記計時手段によって計時される計時時間を示す情報と前記遊技情報記憶手段に記憶される遊技に関する情報とを関連付けて表示可能な表示装置とを備える遊技機管理装置。
【請求項８】
日付を判断する日付判断手段をさらに備えると共に、前記受信部が遊技の終了を示す情報を各遊技機から受信可能であって、
前記遊技情報記憶手段が、前記計時手段による計時が開始されてから前記受信部で遊技の終了を示す情報を受信するまでの計時時間を示す情報及び前記受信部で受信した遊技に関する情報を、前記日付判断手段によって判断される日付毎の情報として記憶することを特徴とする請求項７に記載の遊技装置。
【発明の詳細な説明】
【技術分野】
【０００１】
この発明は、遊技機の遊技データを管理して表示する遊技機管理装置を含む遊技装置又は遊技機管理装置に関する。
【背景技術】
【０００２】
従来の遊技機管理装置を含む遊技装置の外観構成の一例を図９に示す。なお、これとほぼ同様の構成をした遊技装置が特許文献１の図１に記載されている（特許文献１には「遊技装置」に代えて「遊技用システム」と記載されている）。図９において、この遊技装置１は、ホールコンピュータ１０と、パチンコ機３０と、遊技媒体貸出機６０と、表示装置８０とを有している。ここで、ホールコンピュータ１０ａと表示装置８０ａとが遊技機管理装置として機能する。
【０００３】
ホールコンピュータ１０は、複数のパチンコ機３０から遊技に関するデータを取得し、取得したデータをパチンコ機３０毎に管理すると共に表示装置８０ａに送信している。
【０００４】
パチンコ機３０は、パチンコ玉を用いて複数の図柄の組み合わせ遊技を行うものであって、所定の開口部に入球すると一定数の賞球が払い出される。また、始動口（図示せず）に入球する等の所定の条件が成立したときに大当たり抽選を行う通常遊技状態と、大入賞口（図示せず）が一定回数（以下「ラウンド数」と称する）開放されることによって賞球が払い出され易い遊技者にとって有利な特別遊技状態（大当たり遊技）とを備え、それぞれ、互いに他の遊技状態へ移行（切り替え）可能となっている。通常遊技状態から特別遊技状態への移行は、図柄の組み合わせ遊技において、例えば、複数の図柄が同一の図柄で揃った場合に行われる。通常遊技状態から特別遊技状態に移行したのち、所定の条件が成立すると、特別遊技が継続して行われる。また、パチンコ機３０は、特別遊技状態の回数、払い出されたパチンコ玉の量等、遊技に関するデータを、遊技媒体貸出機６０を介してホールコンピュータ１０に送信している。
【０００５】
遊技媒体貸出機６０は、プリペイドカードの受け付けが可能となっており、この受け付けたプリペイドカードに記憶されている情報を読み取っている。そして、このプリペイドカードが有する金額の範囲内でパチンコ玉の貸し出しをパチンコ機３０に対して指示している。
【０００６】
表示装置８０は、各パチンコ機３０に対応して設けられており、ホールコンピュータ１０からパチンコ機３０での遊技に関するデータを取得すると、この取得したデータを表示している。表示装置８０で表示されるデータとしては、特許文献１の図６に図示されるように、例えば、本日、前日又は前々日の遊技において特別遊技状態が発生した回数が該当する。
【０００７】
遊技者は、このように表示装置に表示された特別遊技状態の発生回数を参考にして、これから行おうとする遊技機を選択する場合が多い。例えば、特別遊技状態の発生回数が多い日が続く遊技機は今日も特別遊技状態の発生回数が多いのではないかと考えたり、または、今日あたりは特別遊技状態の発生回数が少なくなるのではないかと考えたりする。また、特別遊技状態の発生回数が少ない日が続く遊技機は今日も特別遊技状態の発生回数が少ないのではないかと考えたり、または、今日あたりは特別遊技状態の発生回数が多くなるのではないかと考える場合もある。
【０００８】
【特許文献１】特開２００４−２９８３７８号公報（図１、図６）
【発明の開示】
【発明が解決しようとする課題】
【０００９】
ところが、大当たり回数が表示装置に表示されたとしても、これから遊技を行おうとする遊技機を選択するための判断を行うための情報が不足しており、殆ど参考とならない。即ち、大当たり回数は遊技が行われてこそ増加するものであり、大当たり回数と遊技時間との関連が把握できない状態において遊技者がこれから遊技を行おうとする遊技機を選択しようとしても、判断材料に乏しく、不安にかられるといった課題があった。
【００１０】
そこで本発明は、遊技者が不安にかられることなくこれから遊技を行おうとする遊技機を選択することを可能とする遊技装置または遊技機管理装置を提供することを主たる目的としている。
【課題を解決するための手段】
【００１１】
本発明において、以下の特徴は単独で、若しくは、適宜組合わされて備えられている。前記課題を解決するための本発明に係る遊技装置は、遊技が開始されたことを検出する遊技開始検出手段と、前記遊技開始検出手段によって遊技の開始が検出されたのちの所定時から計時を開始する計時手段と、所定の条件が成立したことに応じて通常の遊技状態から遊技者にとって有利な特別遊技状態への移行を制御すると共に前記各遊技状態における遊技を制御する遊技制御手段と、前記遊技制御手段によって制御された遊技に関する情報を記憶する遊技情報記憶手段と、前記計時手段によって計時された計時時間を示す情報と前記遊技情報記憶手段に記憶される遊技に関する情報とを関連付けて表示する表示装置と、を備えることを特徴とする。
【００１２】
上記構成によれば、遊技が開始されたのちの所定時を起点とした時間を示す情報と遊技情報記憶手段に記憶される遊技に関する情報とが関連付けられて表示装置に表示される。従って、遊技者は不安にかられることなくこれから遊技を行おうとする遊技機を選択することが可能となる。
【００１３】
ここで、「遊技の開始が検出されたのちの所定時から計時を開始する」とは、遊技の開始が検出されるとほぼ同時に計時を開始することをも含む概念である。
【００１４】
また、「遊技に関する情報」とは、通常の遊技状態から特別遊技状態への移行に関する情報及び各遊技状態における遊技に関する情報のうち少なくともいずれか一方を含む概念である。
【００１５】
本発明に係る遊技装置において、日付を判断する日付判断手段と、遊技が終了されたことを検出する遊技終了検出手段とをさらに備えていても良い。このとき、前記遊技情報記憶手段が、前記計時手段による計時が開始されてから前記遊技終了検出手段によって遊技の終了が検出されるまでの計時時間を示す情報及び前記遊技制御手段によって制御された遊技に関する情報を、前記日付判断手段によって判断される日付毎の情報として記憶することが好ましい。
【００１６】
上記構成によれば、計時時間を示す情報と遊技情報記憶手段に記憶される遊技情報とが関連付けられて、日付毎の情報として記憶される。従って、計時時間を示す情報と遊技情報記憶手段に記憶される遊技情報とが日付毎の情報として表示装置に表示されるので、遊技者は、より安心してこれから遊技を行おうとする遊技機を選択することが可能となる。  
【００１７】
本発明に係る遊技装置において、所定条件の成立に応じて遊技媒体を払い出す遊技媒体払出部と、前記遊技媒体払出部を制御する遊技媒体払出制御手段と、前記遊技制御手段によって通常遊技状態から特別遊技状態へ移行したのちに前記遊技媒体払出部から払い出された遊技媒体の量を示す情報を取得する遊技媒体払出量取得手段とをさらに備えていても良い。このとき、前記遊技情報記憶手段に記憶される遊技に関する情報が、前記遊技媒体払出量取得手段によって取得された遊技媒体の量を示す情報を含むことが好ましい。
【００１８】
上記構成によれば、遊技情報記憶手段には、通常遊技状態から特別遊技状態へ移行したのちに払い出された遊技媒体の量を示す情報が記憶される。従って、計時時間を示す情報と通常遊技状態から特別遊技状態へ移行したのちに払い出された遊技媒体の量を示す情報とが関連付けられて表示装置に表示される。その結果、遊技者は、どの程度の長さに亘って遊技を行えば、目標とする遊技媒体の量を獲得できるかといったことを推測することが可能となり、興趣を高めることができる。
【００１９】
本発明に係る遊技装置において、特別遊技状態における遊技の回数を計数する特別遊技回数計数手段をさらに備えていても良い。このとき、前記遊技情報記憶手段に記憶される遊技に関する情報が、前記特別遊技回数計数手段によって計数された回数を含むことが好ましい。
【００２０】
上記構成によれば、計時時間を示す情報と特別遊技状態における遊技の回数とが関連付けられて表示装置に表示される。従って、遊技者は、どの程度の長さに亘って遊技を行えば、どの程度の回数の特別遊技における遊技を行うことができるか推測することが可能となり、興趣を高めることができる。
【００２１】
本発明に係る遊技装置において、前記表示装置が、前記計時時間を示す情報と前記遊技情報記憶手段に記憶される遊技に関する情報とを同一画面上において同時に表示することが好ましい。
【００２２】
上記構成によれば、計時時間を示す情報と前記遊技情報記憶手段に記憶される遊技に関する情報とが同一画面上において同時に表示されるので、遊技者は両者の関係を容易に把握することが可能となる。従って、遊技者は、これから遊技を行おうとする遊技機を選択するための時間を無駄に費やす必要がなくなる。
【００２３】
ここで、「同時に表示する」とは、表示開始の起点が同時であることのみを意味するのではなく、表示開始の起点が異なる場合をも含む概念である。より具体的に言えば、いずれか一の情報の表示が開始したのちであってかつ当該一の情報の表示が終了する前に他の情報の表示が開始した場合をも含む概念である。
【００２４】
本発明に係る遊技装置において、前記計時時間を示す情報に対する前記遊技情報記憶手段に記憶される遊技に関する情報を算出する演算手段をさらに備えていても良い。このとき、前記表示装置が、前記演算手段による演算結果を表示することが好ましい。
【００２５】
上記構成によれば、計時時間を示す情報に対する遊技情報記憶手段に記憶される遊技に関する情報が表示手段に表示される。従って、これら両者の関係を一見して把握できるので、遊技者が遊技を選択するための時間をより一層無駄に費やす必要がなくなる。
【００２６】
本発明に係る遊技機管理装置は、複数の遊技機から各遊技機における遊技の開始を示す情報及び遊技に関する情報のそれぞれを受信可能な受信部と、前記受信部で受信された情報がいずれの遊技機に関する情報であるかを識別可能な遊技機識別手段と、前記受信部で受信された情報を前記遊技機識別手段によって識別された遊技機毎の情報として記憶可能な遊技情報記憶手段と、前記受信部で遊技の開始を示す情報を受信したのちの所定時から計時を開始する計時手段と、前記計時手段によって計時される計時時間を示す情報と前記遊技情報記憶手段に記憶される遊技に関する情報とを関連付けて表示可能な表示装置とを、を備えることを特徴とする。
【００２７】
上記構成によれば、遊技機管理装置は、各遊技機から各遊技機における遊技の開始を示す情報及び遊技に関する情報のそれぞれを受信する。これらの情報を受信したとき、これらの情報を送信した遊技機を識別する。遊技の開始を示す情報を受信したのちに計時を開始する。そして、遊技が開始されたのちの所定時を起点とした計時時間と遊技情報記憶手段に記憶される遊技に関する情報とを関連付けて表示する。従って、遊技者は不安にかられることなくこれから遊技を行おうとする遊技機を選択することが可能となる。
【００２８】
本発明に係る遊技機管理装置において、日付を判断する日付判断手段をさらに備えると共に、前記受信部が遊技の終了を示す情報を各遊技機から受信可能であっても良い。このとき、前記遊技情報記憶手段が、前記計時手段による計時が開始されてから前記受信部で遊技の終了を示す情報を受信するまでの計時時間を示す情報及び前記受信部で受信した遊技に関する情報を、前記日付判断手段によって判断される日付毎の情報として記憶することが好ましい。
【００２９】
上記構成によれば、計時時間を示す情報と遊技情報記憶手段に記憶される遊技情報とが関連付けられて、日付毎の情報として記憶される。従って、計時時間を示す情報と遊技情報記憶手段に記憶される遊技情報とが日付毎の情報として表示装置に表示されるので、遊技者は、より安心してこれから遊技を行おうとする遊技機を選択することが可能となる。
【発明の効果】
【００３０】
請求項１の記載の発明によれば、遊技者は不安にかられることなくこれから遊技を行おうとする遊技機を選択することが可能となる。
【００３１】
請求項７に記載の発明によれば、遊技者は不安にかられることなくこれから遊技を行おうとする遊技機を選択することが可能となる。また、遊技機の仕様を大幅に変更することなくこのような構成を実現することが可能となる。
【発明を実施するための最良の形態】
【００３２】
以下、本発明に係る遊技装置の好適な実施形態の例について、図９に示した従来例と同一または相当する部分には同一符号を付すと共に、各図を参照しつつ説明する。
【００３３】
図１は、本発明に係る遊技装置の概略的な電気的構成の一例を示すブロック図である。遊技装置１は、ホールコンピュータ１０ａとパチンコ機３０と遊技媒体貸出機６０と表示装置８０ａとを備え、これらは互いに情報を送受信可能に電気的に接続されている。なお、電気的な接続は、有線であっても無線であっても良い。
【００３４】
ホールコンピュータ１０ａは、時計２０及びタイマ２２が、それぞれ、制御部１２に接続されている。制御部１２は、制御及び演算の主体であるＣＰＵ１４、制御プログラム等が記憶されているＲＯＭ１６及びデータの読み書きに用いられるＲＡＭ１８を備えている。時計２０は、制御部１２が現在の日付及び時刻を判断するために用いられ、タイマ２２は、制御部１２からの指令によって所定時間の経過時間を計時する。また、インターフェース２４を介して、複数のパチンコ機３０、各パチンコ機３０と対応して設けられた遊技媒体貸出機６０及び表示装置８０ａとの間でデータの送受信が行われる。
【００３５】
ここで、ＲＡＭ１８に記憶されるデータについて表１及び表２を参照しつつ説明する。ＲＡＭ１８は、各パチンコ機３０毎に、本日の遊技履歴を記憶する本日履歴記憶領域と昨日以前の遊技履歴を記憶する過去履歴記憶領域とを有している。本日履歴記憶領域には、表１に示されるとおり、本日の遊技時間ｔ、大当たり回数、確変回数、最大出玉Ｈ及び出玉Ｎが遊技者毎のデータとして記憶されると共に、遊技者に拘らない本日の合計データについても記憶される。ここで、「出玉Ｎ」とは、パチンコ機３０から払い出されたパチンコ玉数と遊技のために使用されたパチンコ玉数との差を意味し、「最大出玉」とは、過去最大の出玉Ｎを意味する。
【００３６】
過去履歴記憶記憶領域には、表２に示されるとおり、遊技時間ｔ、大当たり回数、確変回数、最大出玉Ｈ及び出玉Ｎが日毎のデータとして記憶される。より具体的に言えば、日付が変更されたのちに、本日履歴記憶領域に記憶される本日の合計データが過去履歴記憶領域に移動される。この記憶領域には１週間分のデータが記憶可能となっているが、これに限られるものではない。
【００３７】
【表１】
2006141802.tif 000003
【００３８】
【表２】
2006141802.tif 000004
【００３９】
なお、「最大出玉Ｈ」は、パチンコ機３０から払い出されたパチンコ玉数と使用したパチンコ玉数との差に代えて、パチンコ機３０から払い出されたパチンコ玉数を記憶しても良い。即ち、この場合には、使用したパチンコ玉数を考慮していないこととなる。
【００４０】
パチンコ機３０は、パチンコ機３０の盤面（図示せず）に発射されたパチンコ玉の総数をカウントする発射球計数部４６と、パチンコ機３０から払い出されたパチンコ玉の総数をカウントする払出球計数部４８と、遊技者がハンドルを握ったことを検出するハンドル検出センサ５０と、発射されたパチンコ玉が始動口（図示せず）に入球したことを検出する始動口入球センサ５２と、パチンコ玉が大入賞口に入球したことを検出する大入賞口検出センサ５４とを備え、これらはそれぞれ、主制御部３２に接続されている。なお、大入賞口は、主制御部３２によって大入賞口駆動部５６が駆動されることによって、パチンコ玉が入球しやすい開状態と入球し難い閉状態とに開閉駆動される。主制御部３２は、大当たり遊技時にのみ大入賞口駆動部５６を開閉駆動させる。
【００４１】
なお、パチンコホールには、多種多様の複数台のパチンコ機と１台のホールコンピュータ１０ａとが接続されている。
【００４２】
パチンコ機３０はさらに、遊技に使用されるパチンコ玉を発射するために発射機構３６を制御する発射制御部３４と、発射されたパチンコ玉が始動口に入球したときに液晶表示器４０における図柄の変動表示を制御する演出制御部３８と、所定の入賞口（図示せず）に入球したときにスプロケットを構成要素とする払出駆動部４４からのパチンコ玉の払出しを制御する払出制御部４２とを備える。主制御部３２は、これらの各制御部３４、３８、４２に対して指令を行うと共に、始動口に入球したときに大当たりとするかどうかの抽選をも行っている。また、また、インターフェース５８を介して、ホールコンピュータ１０ａ及び遊技媒体貸出機６０との間でデータの送受信が行われる。
【００４３】
遊技媒体貸出機６０は、制御及び演算の主体である制御部６２を備え、受け付けたプリペイドカードに記憶される各種情報の読み書きを行うカードリードライタ６４、遊技者がパチンコ玉の貸出を要求する際に操作する貸出釦６６、カードリードライタ６４で受け付けているプリペイドカードの返却を要求する貸出釦６６及びカードリードライタ６４が読み取ったプリペイドカードに記憶される有価価値を表示する度数表示器７０のそれぞれが、制御部６２に電気的に接続されている。また、インターフェース７２を介して、ホールコンピュータ１０ａ及びパチンコ機３０との間でデータの送受信が行われる。
【００４４】
なお、貸出釦６６、カード返却釦６８及び度数表示器７０は、それぞれ、パチンコ機３０側に配置されている。
【００４５】
ここで、カードリードライタ６４はプリペイドカードを受け付け、受け付けたプリペイドカードに記憶される各種情報の読み書きを行っているがこれに限られずものではない。例えば、プリペイドカードに代えて、有価価値情報を記憶可能な磁気カード、ＩＣカード、ＩＣチップを埋め込んだコイン、フラッシュメモリ等のメモリ機能を備えたメモリカード、あるいは有価価値情報を記憶可能なメモリ機能を備えてこの情報を無線または有線を介して通信可能な携帯電話等の携帯端末により例示される記憶媒体であっても良い。さらには、各種情報が記憶されていなくとも、トークン（コイン状のもの）等の所定形状物であって、機内への投入によって有価価値を有すると認識されるものであっても良い。即ち、遊技者に対してパチンコ玉の貸し出しを行うための対価となるものであれば良い。
【００４６】
表示装置８０ａは、インターフェース８８を介してホールコンピュータ１０ａとの間でデータの送受信が行われ、ホールコンピュータ１０ａから受信したデータを表示する表示器８４と、表示器８４に表示されるデータの変更を要求するための表示切替釦８６とを備えている。本実施形態においては、最新データと過去の履歴とが表示可能となっている。なお、表示装置８０ａは、対応して設けられたパチンコ機３０における遊技に関するデータを表示する。
【００４７】
ここで、表示装置８０ａの表示器８４に表示されるデータについて、図２を参照しつつ説明する。図２は、本発明を構成する表示装置８０ａの表示器８４に表示される昨日データの表示画面の一例を示す図である。
【００４８】
図２において、表示器８４におけるデータの表示画面は、大当たり情報表示領域９０と大当たり遊技間表示領域９２と日付表示領域９４とを有する。大当たり情報表示領域９０及び大当たり遊技間表示領域９２に表示されるデータがいつのデータであるかについては、日付表示領域９４の表示で確認できる。例えば、日付表示領域９４に「昨日のデータ」と表示されていれば、大当たり情報表示領域９０及び大当たり遊技間表示領域９２に表示されるデータが昨日のデータであることを意味する。大当たり情報表示領域９０には、大当たり遊技が行われた回数、確変回数、最大出玉Ｈ、出玉Ｎ及び遊技時間ｔが表示される。大当たり遊技間表示領域９２には、大当たり遊技が終了したのちの次の大当たり遊技までの遊技間隔を棒グラフで、及び大当たり遊技の継続回数 (確変回数）を数字で表示している。
【００４９】
なお、本実施形態において、表示装置８０ａは、大当たり情報表示領域９０に大当たり遊技が行われた回数、確変回数、最大出玉Ｈ、出玉Ｎ及び遊技時間ｔを表示しているが、必ずしもこれらのデータ全てを表示することに限られない。大当たり回数及び出玉Ｎのうち少なくともいずれかのデータと遊技時間ｔとが表示されれば本発明の目的を達成することができる。なお、このとき、大当たり回数及び出玉Ｎのうち少なくともいずれかのデータと遊技時間ｔとがＲＡＭ１８に記憶されることとなる。
【００５０】
また、本実施形態において、表示装置８０ａは、出玉Ｎと遊技時間ｔとを左右に並べて表示しているが、これに限られず、大当たり回数及び出玉Ｎのうちいずれかのデータと遊技時間ｔとが関連して表示されていれば良い。「関連付けて表示」とは、例えば、関連付けて表示したいデータを同一色にすると共に他のデータと異ならせたり、同様にして表示の大きさで関連付けたりすることが考えられる。さらには、大当たり回数及び出玉Ｎのうちいずれかのデータと遊技時間ｔとの比を算出する演算手段をホールコンピュータ１０ａのＣＰＵ１４又は表示装置８０ａの表示制御部８２に設け、この演算手段で算出された結果を表示装置８０ａの大当たり情報表示領域９０に表示させるようにしても良い。このとき、単位時間当たりの大当たり回数又は単位時間当たりの出玉等のデータが表示器８４に表示されることとなり、遊技者は、これから遊技を行おうとする遊技機の選択を容易に行うことができ、無駄に時間を過ごすことが回避できる。
【００５１】
次にパチンコ機３０における制御フローについて、図３を参照しつつ説明する。ここで、図３は、パチンコ機の制御部における制御フローを示す図である。
【００５２】
図３において、パチンコ機３０の主制御部３２は、ステップ（以下「Ｓ」と表示する）１０において、遊技者がハンドルを握ったかどうか、即ち、ハンドル検出センサ５０による検出を待機している。ハンドル検出センサ５０による検出が確認されると遊技が開始されたと判断し、ホールコンピュータ１０ａに対して遊技開始信号を送信する（Ｓ１２）と共に、発射制御部３４に対して発射制御指令する（Ｓ１４）。パチンコ機３０の盤面に一定の時間内に発射されたパチンコ玉の発射球数を発射球計数部４６によってカウントし（Ｓ１６）、カウントされた発射球数をホールコンピュータ１０ａに対して送信する（Ｓ１８）。次に、大当たり遊技中であるかどうか確認し（Ｓ２０）、大当たり遊技中でなければ始動口への入球があったかどうか確認する（Ｓ２２）。始動口への入球があれば大当たり抽選を行い（Ｓ２４）、演出制御部３８に対して演出制御指令する（Ｓ２６）。次に、Ｓ２４における大当たり抽選の結果を確認し（Ｓ２８）、大当たりであれば大当たり信号をホールコンピュータ１０ａに対して送信する（Ｓ３０）。そして、払出制御部４２に対して所定数のパチンコ玉の払い出しを指令する（Ｓ３２）。
【００５３】
Ｓ２０に戻り、大当たり遊技中であれば大入賞口駆動部５６を駆動させることによって大入賞口を一定時間の開放と閉鎖とを繰り返す動作させる（Ｓ３３）。そして、大入賞口検出センサ５４によって大入賞口に入球があったかどうか確認する（Ｓ３４）。Ｓ２２に戻り、始動口への入球がなければ入賞口への入球があったかどうか確認する（Ｓ３６）。  
【００５４】
なお、ホールコンピュータ１０ａに対する発射球数の送信は、始動口または大入賞口への入球があったときに、前回の始動口または大入賞口への入球があってからの発射球数を送信するようにしても良い。
【００５５】
Ｓ３４及びＳ３６において、それぞれ、入賞口及び大入賞口への入球があったかどうか確認し、これらへの入球があればＳ３２に進み、払出制御部４２に対して所定数のパチンコ玉の払い出しを指令する（Ｓ３２）。
【００５６】
払出制御部４２に対してパチンコ玉の払い出しが指令されると払出駆動部４４からパチンコ玉が払い出されるので、この払出球数を払出球計数部４８によってカウントすることによって取得し（Ｓ３８）、カウントされた払出球数をホールコンピュータ１０ａに対して送信する（Ｓ４０）。
【００５７】
ホールコンピュータ１０ａに対して払出駆動部４４から払い出された払出玉数を送信したのち、ハンドルが握られているかどうかをハンドル検出センサ５０により確認する（Ｓ４２）。また、Ｓ３４において大入賞口への入球がなかったとき、及びＳ３６において入賞口への入球がなかったときは、いずれもＳ４２に進む。
【００５８】
Ｓ４２において、ハンドル検出センサ５０による検出があったときはＳ１４に進み、発射制御部３４に対して発射制御を指令し、以下、同様の処理を繰り返す。また、Ｓ４２においてハンドル検出センサ５０による検出がなければ遊技を終了したと判断して、ホールコンピュータ１０ａに対して遊技を終了したことを示す信号を送信し（Ｓ４４）、一連の処理を終了する。
【００５９】
なお、パチンコ機３０がホールコンピュータ１０ａに対して信号を送信するとき、複数のパチンコ機３０のうち自機を識別するための信号をも同時に送信する。本実施形態においては、ホールコンピュータ１０ａに対して送信する信号に台番号を付して送信している。
【００６０】
次に、ホールコンピュータ１０ａにおける制御フローについて、図４〜図７を参照しつつ説明する。ここで、図４は、ホールコンピュータ１０ａの制御部１２においてパチンコ機３０とのデータ送受信についての制御フローの一例を示す図であり、図５及び図６に続く。図５は、ホールコンピュータ１０ａの制御部１２においてパチンコ機３０とのデータ送受信についての制御フローの一例を示す図であり、図４から続く。図６は、ホールコンピュータ１０ａの制御部１２においてパチンコ機３０とのデータ送受信についての制御フローの一例を示す図であり、図４から続く。図７は、ホールコンピュータ１０ａの制御部１２において表示装置８０ａとのデータ送受信についての制御フローの一例を示す図である。
【００６１】
図４において、ホールコンピュータ１０ａのＣＰＵ１４は、Ｓ５０において、各パチンコ機３０から遊技の開始信号が送信されることを確認している。遊技開始信号を受信すると、この信号を送信したパチンコ機３０がどのパチンコ機３０であるかを識別するために台番号を取得し（Ｓ５２）、現在の日付及び時刻を時計２０から取得する。なお、本日履歴記憶領域はパチンコ機３０毎に設けられているので、対応するパチンコ機３０の本日履歴記憶領域に記憶する。次に、このパチンコ機３０から大当たり信号が送信されることを確認する（Ｓ５６）。ここで、大当たり信号を受信すると、大当たり回数Ｍに１を加算し（Ｓ５８）、この大当たり回数Ｍが１であるかどうか、即ち、初当たりであるかどうか確認する（Ｓ６０）。大当たり回数Ｍが１であれば、タイマ２２での計時を開始する（Ｓ６２）。
【００６２】
Ｓ５６に戻り、大当たり信号の受信がなければ、遊技終了信号を受信したかどうか確認する（Ｓ６４）。ここで、遊技の終了が確認できれば、図５のＳ８０に進む。
【００６３】
Ｓ６２において計時を開始したのち、Ｓ６４において遊技終了信号を受信しなかったとき及びＳ６０において大当たり回数Ｍが１でなかったときはＳ６６に進み、発射されたパチンコ玉数（使用玉量）Ｑがパチンコ機３０から送信されるまで待機する（Ｓ６６）。
【００６４】
図５において、Ｓ６６で発射されたパチンコ玉数Ｑをパチンコ機３０から受信すると、パチンコ機３０から払い出されたパチンコ玉数Ｐを受信したかどうか確認する（Ｓ６８）。ここで、パチンコ機３０から払い出されたパチンコ玉数Ｐを受信した場合には、出玉Ｎの更新を行う（Ｓ７０）。出玉Ｎの更新は、パチンコ機３０から払い出されたパチンコ玉数Ｐと発射されたパチンコ玉数Ｑとの差分を加算することによって行われる。一方、パチンコ機３０から払い出されたパチンコ玉数Ｐの受信がなければ、発射されたパチンコ玉数Ｑを差し引くことによって、出玉Ｎの更新を行う（Ｓ７２）。次に、更新された出玉Ｎが、過去の最大出玉Ｈよりも大きいかどうか確認する（Ｓ７４）。ここで、過去の最大出玉Ｈよりも更新された出玉Ｎの方が大きければ過去の最大出玉Ｈを出玉Ｎに置き換え（Ｓ７６）、過去の最大出玉Ｈよりも更新された出玉Ｎの方が小さければ過去の最大出玉Ｈの更新は行われない。そして、タイマ２２で計時された遊技時間ｔ、大当たり回数Ｍ、確変回数、最大出玉Ｈ、出玉Ｎなどの各種データを表示装置８０ａに送信し（Ｓ７８）、一連の処理を終了する。
【００６５】
図６において、Ｓ６４で遊技の終了を示す信号が受信されたときは、タイマ２２で計時された計時時間 (即ち、遊技時間）ｔをＲＡＭ１８の本日履歴記憶領域に記憶する（Ｓ８０）。なお、最大出玉ＨもＲＡＭ１８に記憶される（Ｓ８２）。その後、タイマ２２、大当たり回数Ｍ、発射されたパチンコ玉数Ｑ、パチンコ機３０から払い出されたパチンコ玉数Ｐ、出玉Ｎ、過去の最大出玉Ｈなどの各種データがリセットされ（Ｓ８４）、一連の処理が終了する。
【００６６】
また、本日履歴記憶領域には、本日の遊技データの合計値が記憶されており、時計２０から取得される日付が変更されたことを確認すると、本日の遊技データの合計値が過去履歴記憶領域に記憶されると共に、本日履歴記憶領域に記憶されるデータが消去される。
【００６７】
図７において、ホールコンピュータ１０ａのＣＰＵ１４は、表示装置８０ａから表示切替要求の受信を確認している（Ｓ９０）。表示装置８０ａから表示切替要求を受信すると、要求されているデーを確認する。即ち、いずれのパチンコ機３０に対応して設けられたものであるかを識別するための識別番号及びＲＡＭ１８の過去履歴記憶領域に記憶されるデータのうちいずれのデータを要求されているかを確認し（Ｓ９２）、識別番号が対応し且つ要求されているデータを表示装置８０ａに送信する（Ｓ９４）。従って、台番号「１」の遊技機における昨日の遊技データの要求であれば、台番号「１」に対応する過去履歴記憶領域の昨日データのうち遊技時間、大当たり回数及び出玉Ｎのデータを送信し、一連の処理を終了する。また、一昨日の遊技データの要求であれば一昨日のデータのうち遊技時間、大当たり回数及び出玉Ｎのデータを送信する。Ｓ９０に戻って、表示切替要求を受信していなければ、ＲＡＭ１８の本日履歴記憶領域に記憶されるデータのうち遊技時間ｔ、大当たり回数及び出玉Ｎのそれぞれの合計値のデータを送信し（Ｓ９６）、一連の処理が終了する。
【００６８】
次に、表示装置８０ａにおける制御フローについて、図８を参照しつつ説明する。ここで、図８は、表示装置８０ａの表示制御部８２における制御フローの一例を示す図である。
【００６９】
図８において、表示装置８０ａの表示制御部８２は、ホールコンピュータ１０a から遊技時間ｔ、大当たり回数及び出玉Ｎ等の各種データの受信を待機している（Ｓ１００）。各種データを受信すると、受信したデータを表示器８４に表示する（Ｓ１０２）。次に、表示切替釦８６の操作があったかどうか確認する（Ｓ１０４）。表示切替釦８６の操作があればホールコンピュータ１０ａに対してデータの送信を要求し（Ｓ１０６）、表示切替釦８６の操作がなければＳ１００に戻る。なお、表示切替釦８６を１回押下した場合には昨日の遊技データを、２回押下した場合には一昨日の遊技データを、それ以上の回数を押下した場合にはさらに過去の遊技データの送信を要求する。Ｓ１０６においてホールコンピュータ１０ａに対してデータの送信を要求したのちは、要求したデータがホールコンピュータ１０ａから受信されることを待機する（Ｓ１０８）。ホールコンピュータ１０ａからデータを受信すると、表示器８４の表示画面に受信したデータを表示する（Ｓ１１０）。ここでは、遊技時間ｔ、大当たり回数及び出玉Ｎを表示する。そして、一定時間が経過するまで待機し（Ｓ１１２）、一定時間が経過するとＳ１００に戻り、以下、同様の処理を繰り返し行う。即ち、ホールコンピュータ１０ａから受信したデータを一定時間表示したのちは、一連の処理を繰り返し行うこととなる。
【００７０】
以上のように、本実施の形態の遊技装置１は、遊技が開始されたことを検出するハンドル検出センサ５０と、ハンドル検出センサ５０によって遊技の開始が検出されたのち通常遊技状態から大当たり遊技状態へ移行したときに計時を開始するタイマ２２と、通常遊技状態から大当たり遊技状態への移行を制御する主制御部３２と、通常遊技状態から大当たり遊技状態へ移行した回数及び出玉Ｎを記憶するＲＡＭ１８と、タイマ２２で計時された計時時間とＲＡＭ１８に記憶される大当たり回数及び出玉Ｎとが、表示器８４の表示画面のなかで同じ表示領域（大当たり情報表示領域９０）に表示されることによって関連付けられている。従って、大当たり回数や出玉Ｎのみでなく遊技時間ｔも表示されるので、遊技時間ｔに対する大当たり回数や出玉Ｎを把握することができる。その結果、遊技者は不安にかられることなくこれから遊技を行おうとする遊技機を選択することが可能となる。  
【００７１】
また、上述の実施の形態において、ホールコンピュータ１０ａの制御部１２は時計２０から現在の日付を取得し、遊技時間ｔ、大当たり回数、出玉Ｎを日毎のデータとしてＲＡＭ１８に記憶している。これにより、遊技時間ｔと大当たり回数との関係又は遊技時間ｔと出玉Ｎとの関係が日毎の情報として表示装置８０ａに表示されるので、遊技者は、より安心してこれから遊技を行おうとする遊技機を選択することが可能となる。
【００７２】
また、上述の実施の形態において、大入賞口等への入球に応じてパチンコ玉が払い出され、通常の遊技状態から大当たり遊技状態へ移行したのちに払い出されたパチンコ玉の量を計数している。そして、計数されたパチンコ玉の量が表示装置８０ａの表示器８４に表示される。これにより、どの程度の長さに亘って遊技を行えば、目標とするパチンコ玉の量を獲得できるかといったことを推測することが可能となり、興趣を高めることができる。
【００７３】
また、上述の実施の形態において、表示装置８０ａの表示器８４には、遊技時間ｔ、大当たり回数及び出玉Ｎが同一画面上において同時に表示されている。これにより、遊技者は両者の関係を容易に把握することが可能となる。従って、遊技者は、これから遊技を行おうとする遊技機を選択するための時間を無駄に費やす必要がなくなる。
【００７４】
なお、本発明は、上記の好ましい実施形態に記載されているが、本発明はそれだけに制限されない。本発明の精神と範囲から逸脱することのない様々な実施形態が可能である。例えば、上述の実施形態において、遊技装置１は、ホールコンピュータ１０ａとパチンコ機３０と遊技媒体貸出機６０と表示装置８０ａとを備えているが、これに限られず、例えば、パチンコ機３０に代えてスロットマシンであっても良い。この場合、遊技には、パチンコ玉に代えてメダルが用いられることが多い。ただし、遊技を行う媒体としては、パチンコ玉やメダルは代表例であって、これに限られるものではない。即ち、遊技媒体として機能するものであれば良い。
【００７５】
また、上述の実施形態において、遊技装置１は、ホールコンピュータ１０ａとパチンコ機３０と遊技媒体貸出機６０と表示装置８０ａとを備えているが、記載の遊技媒体貸出機６０は必ずしも必須の構成要件ではなく、パチンコ機３０に有価価値を有する媒体を投入してパチンコ玉の貸出を受けても良い。
【００７６】
また、上述の実施形態において、表示装置８０ａは、各パチンコ機３０に対応して設けられ、この対応するパチンコ機３０におけるデータを表示しているが、これに限られない。例えば、複数台のパチンコ機３０に対応して設けられ、この複数台のパチンコ機３０におけるデータを一括表示または分割表示しても良い。
【００７７】
また、上述の実施形態において、大当たり抽選に当選したことを条件に通常遊技状態から大当たり遊技状態へ移行しているが、これに限られない。例えば、いわゆる「羽根物」とよばれる第二種のパチンコ機であればＶゾーンとよばれる所定の入賞口に入賞したこと、いわゆる「権利物」とよばれる第三種のパチンコ機であれば抽選に加えて所定の入賞口に入賞するなどの条件を満たすことが、通常遊技状態から特別遊技状態へ移行するための条件となる。さらに、スロットマシンであれば、大当たり抽選に当選し且つ所定の図柄の組み合わせで停止させることが条件となる。これらに代表される所定の条件が成立したことに応じて通常遊技状態から大当たり遊技状態へ移行する。
【００７８】
また、上述の実施形態において、主制御部３２は、入賞口または大入賞口への入球が検出されると払出制御部４２に対してパチンコ玉の払い出しを指令しているが、これに限られるものではなく、パチンコ玉に変換可能な有価価値であっても良い。例えば、パチンコ玉数を電子データに変換したものなどが考えられる。このとき、払出駆動部４４に代えて電子データとして遊技者に払いだす（付与する）装置が設けられる。従って、払出駆動部４４から払い出される「遊技媒体」としては、そのまま直接遊技に供することができる媒体に限られないことを意味する。
【００７９】
また、上述の実施形態において、ハンドル検出センサ５０における検出が確認されたことをもって遊技の開始としているが、これに限られるものではない。例えば、発射球計数部４６または払出球計数部４８においてパチンコ玉をカウントしたとき、始動口入球センサ５２により入球が検出されたとき、発射制御部３４、演出制御部３８または払出制御部４２に対して制御指令したとき、遊技媒体貸出機６０からパチンコ玉の貸出要求を受けたとき、遊技媒体貸出機６０のカードリードライタ６４にプリペイドカードが投入されたときなどをもって遊技の開始としても良い。
【００８０】
また、上述の実施形態において、ハンドル検出センサ５０において検出されなかったことをもって遊技の終了としているが、これに限られるものではない。例えば、発射球計数部４６または払出球計数部４８において所定時間以上に渡ってパチンコ玉をカウントしなくなったとき、始動口入球センサ５２において所定時間以上入球が検出されなかったとき、発射制御部３４、演出制御部３８または払出制御部４２に対して所定時間以上に渡って制御指令がなかったとき、カードリードライタ６４に投入されるカードが変更されたとき、出玉がプラスであるにも関わらずパチンコ玉の貸出操作があったときなどをもって遊技の終了としても良い。
【００８１】
また、上述の実施形態において、通常遊技状態から大当たり状態へ移行したことに応じてタイマ２２により計時を開始しているが、これに限られるものではなく、遊技が開始されてから初当たりとなるまでの間であれば、タイマ２２による計時の開始時は限られるものではない。
【００８２】
また、上述の実施形態において、表示装置８０ａの表示器８４における大当たり情報表示領域９０には、大当たり回数と確変回数と最大出玉Ｈと出玉Ｎと遊技時間ｔとが表示されているが、これに限らず、大当たり回数を示す情報と遊技時間ｔを示す情報とが表示されていても良く、出玉Ｎを示す情報と遊技時間ｔを示す情報とが表示されていても良い。大当たり回数を示す情報としては、例えば、棒グラフ等によって回数を示したりすることが考えられ、出玉Ｎを示すデータとしては、例えば、出玉Ｈの概算値、パチンコ玉を入れる箱（通称「ドル箱」と呼ばれている）の数などが考えられる。また、遊技時間を示すデータとしては、例えば、遊技開始時刻と遊技終了時刻とを表示することが考えられる。
【００８３】
さらには、大当たり情報表示領域９０には、初当たりからの遊技時間ｔを表示することに代えて、遊技を開始してからの時間を表示しても良い。
【００８４】
また、上述の実施形態において、表示装置８０ａの表示器８４における大当たり情報表示領域９０には、出玉Ｎと遊技時間ｔとが左右に隣接して表示されているが、これに限られず、上下に隣接して表示するものであっても良い。さらに、必ずしも隣接している必要はなく、大当たり情報表示領域９０に表示されるデータのうち出玉Ｎ及び遊技時間ｔのみを、他のデータと異なる色で表示したり、大きさを変えたりして表示するものであっても良い。加えて、最大出玉Ｈと初当たりからの遊技時間ｔとを単に表示している場合のみであっても良い。なお、出玉Ｎが表示されず、大当たり回数と遊技時間ｔとが表示される場合には、出玉Ｎに代えて大当たり回数が遊技時間ｔと隣接して表示される等、関連付けて表示されることが好ましい。
【００８５】
また、上述の実施形態において、表示器８４の大当たり情報表示領域９０に表示されるデータの切り替えは、表示切替釦８６を押下することによって行われているが、必ずしも釦を押下するものに限られず、他の方法によって操作するものであっても良い。さらには、操作によらず、音声認識等によって大当たり情報表示領域９０における表示を切り替えるようにしても良い。
【００８６】
また、上述の実施形態において、タイマ２２がホールコンピュータ１０ａの制御部１２に接続されているが、これに限られず、パチンコ機３０の主制御部３２に接続されていても良い。
【００８７】
また、上述の実施形態において、大当たり回数、出玉Ｎ及び遊技時間ｔが、表示装置８０ａの表示器８４に表示されているがこれに限られず、パチンコ機３０の液晶表示器４０に表示されるようにしても良い。このとき、ＲＡＭ１８に記憶される本日履歴記憶領域及び過去履歴記憶領域は、パチンコ機３０の主制御部３２に記憶されることが好ましい。
【図面の簡単な説明】
【００８８】
【図１】本発明に係る遊技装置の概略的な電気的構成の一例を示すブロック図である。
【図２】本発明を構成する表示装置の表示器に表示される昨日データの表示画面の一例を示す図である。
【図３】パチンコ機の制御部における制御フローを示す図である。
【図４】ホールコンピュータの制御部においてパチンコ機とのデータ送受信についての制御フローの一例を示す図であり、図５及び図６に続く。
【図５】ホールコンピュータの制御部においてパチンコ機とのデータ送受信についての制御フローの一例を示す図であり、図４から続く。
【図６】ホールコンピュータの制御部においてパチンコ機とのデータ送受信についての制御フローの一例を示す図であり、図４から続く。
【図７】ホールコンピュータの制御部において表示装置とのデータ送受信についての制御フローの一例を示す図である。
【図８】表示装置の表示制御部における制御フローの一例を示す図である。
【図９】従来の遊技機管理装置を含む遊技装置の外観構成の一例を示す図である。
【符号の説明】
【００８９】
１  遊技装置
１０、１０ａ  ホールコンピュータ
１８  ＲＡＭ
２０  時計
２２  タイマ
３０  パチンコ機
３２  主制御部
５０  ハンドル検出センサ
６０  遊技媒体貸出機
８０、８０ａ  表示装置
８６  表示切替釦
ｔ  遊技時間
Ｎ  出玉
【図１】
2006141802.tif 000005
【図２】
2006141802.tif 000006
【図３】
2006141802.tif 000007
【図４】
2006141802.tif 000008
【図５】
2006141802.tif 000009
【図６】
2006141802.tif 000010
【図７】
2006141802.tif 000011
【図８】
2006141802.tif 000012
【図９】
2006141802.tif 000013